(57)【要約】【課題】この発明は、利用者により回転操作された回転体の回転情報を非接触に検知する検知手段を備えているため、長期使用しても検知性能が劣化せず、信頼性の高い検知信号を供給し続けることができる入力装置および電子機器を提供することを目的とする。【解決手段】この発明は、利用者の指先に触れて回動および押下自由に保持された回転体を設け、前記回転体に永久磁石を備え、該永久磁石の極性を検知することに基づいて前記回転体に入力操作された回転方向および回転量を検知する非接触の検知手段を備えた入力装置であることを特徴とする。【選択図】　図４
2004133648.tif 000002
【特許請求の範囲】
【請求項１】
利用者の指先に触れて回動および押下自由に保持された回転体を設け、
前記回転体に永久磁石を備え、該永久磁石の極性を検知することに基づいて前記回転体に入力操作された回転方向および回転量を検知する非接触の検知手段を備えた
入力装置。
【請求項２】
利用者の指先に触れて回動および押下自由に保持された回転体と、該回転体の両側位置に押下自由に保持された左右の操作ボタンとを、それぞれ独立して装置本体のベース上に搭載し、前記回転体と左右の操作ボタンの押下方向に対向する下面側のベース上には、前記回転体と左操作ボタンと右操作ボタンとの各押下検知スイッチを対設した入力装置であって、
前記回転体に永久磁石を備え、該永久磁石の極性を検知することに基づいて前記回転体に入力操作された回転方向および回転量を検知する非接触の検知手段を備えた
入力装置。
【請求項３】
前記回転体は、該回転体の外周面周方向に極性の異なる永久磁石を交互に周設したことを特徴とする
請求項１または２記載の入力装置。
【請求項４】
前記回転体は、該回転体の端面環状方向に極性の異なる永久磁石を交互に備えたことを特徴とする
請求項１または２記載の入力装置。
【請求項５】
前記回転体の軸方向を装置本体の上面左右方向に横架し、該回転体の下面側に対向する押下検知スイッチを、前記回転体の軸方向中心線上の位置より手前側に設定して配設したことを特徴とする
請求項１、２、３または４記載の入力装置。
【請求項６】
請求項１、２、３、４または５記載の入力装置を備えた電子機器。
【発明の詳細な説明】
【０００１】
【発明の属する技術分野】
この発明は、例えば携帯電話機の入力操作面に備えられるような入力装置に関し、さらに詳しくは入力操作面の回転操作を非接触にて検知する入力装置および電子機器に関する。
【０００２】
【従来の技術】
一般に、携帯電話機やパソコンなどの電子機器に備えられるような入力装置の一例として、携帯電話機の上面に、表示器と、ダイヤル部と、左右の押しボタンと、テンキーおよび各種入力キーとを搭載し、このうちダイヤル部と、左右の押しボタンとを使って表示器に表示される画像をスクロール、あるいは画面上のカーソルを任意の方向に移動している。
【０００３】
この場合、携帯電話機の上面に、回転自由にローラ面の一部が突出する円柱形状のダイヤル部を利用者が指先で回転操作したときに得られる回転方向および回転量との回転情報を正確に検知するために、ダイヤル部の軸部に備えたエンコーダによってダイヤル部の回転情報を求めている（例えば特許文献１参照。）。
【０００４】
【特許文献１】
特開２００１−２８３６８５号公報。
【０００５】
【発明が解決しようとする課題】
しかしながら、このようなエンコーダを用いた検知構造では、ダイヤル部の一部に導電部材を接触させて回転情報を検知する機械的な接触対応構造によって電気信号を読取るため、塵や埃の混入に悪影響を受けやすく、また接点やブラシの磨耗がダイヤル部の利用度合いに比例して大きくなり、この結果、長期使用に伴って接触信頼性の低下および寿命低下を余儀なくされていた。
【０００６】
ことに、ダイヤル部の接点対応構造に際しては、端子を埋め込んだ成形品の加工や、端子の曲げ加工などのために複雑な加工を要して製作が難しくなっていた。また、組立に際しても、部品形状が複雑なのでブラシの取付けや端子との位置関係を合せながら取付けるため組立が難しくなっていた。
【０００７】
そこでこの発明は、利用者により回転操作された回転体の回転情報を非接触に検知する検知手段を備えているため、長期使用しても検知性能が劣化せず、信頼性の高い検知信号を供給し続けることができる入力装置および電子機器を提供することを目的とする。
【０００８】
【課題を解決するための手段】
この発明は、利用者の指先に触れて回動および押下自由に保持された回転体を設け、前記回転体に永久磁石を備え、該永久磁石の極性を検知することに基づいて前記回転体に入力操作された回転方向および回転量を検知する非接触の検知手段を備えた入力装置であることを特徴とする。
【０００９】
ここで回転体とは、例えば軸方向両端部を軸支して正逆転自由に回転操作する円柱形状の軸体で構成することができる。
【００１０】
前記永久磁石とは、細部への組込みに適した製作自由度の高い磁石、例えば磁性粉と樹脂とを混合して任意の形状に製作することができるボンド磁石を用いて構成することができる。
【００１１】
前記検知手段とは、永久磁石のＮ極とＳ極との極性を検知して電気信号に変換する例えばホールＩＣで構成することができる。
【００１２】
前記入力装置とは、利用者による指先での入力操作に適した例えば携帯電話機などの入力操作面に適用することができる。
【００１３】
この場合は、回転体と一体に回転する永久磁石回転時のＮ極とＳ極との周方向の異極性間に交互に表れる磁界の強弱変化や発生数などの極性の変化を検知することによって、回転体の正逆の回転方向と回転量との回転情報を非接触に検知することができる。このため、物理的に回転接触して磨耗する部分がなくなり、またその回転接触部分への塵や埃が付着して接触性能を劣化させるような悪影響をも受けなくなるため磨耗による検知性能の劣化が完全に解消されて、信頼性の高い検知性能および半永久的な寿命延長が図れる。
【００１４】
別の発明では、利用者が指先に触れて回動および押下自由に保持された回転体と、該回転体の両側位置に押下自由に保持された左右の操作ボタンとを、それぞれ独立して装置本体のベース上に搭載し、前記回転体と左右の操作ボタンの押下方向に対向する下面側のベース上には、前記回転体と左操作ボタンと右操作ボタンとの各押下検知スイッチを対設した入力装置であって、前記回転体に永久磁石を備え、該永久磁石の極性を検知することに基づいて前記回転体に入力操作された回転方向および回転量を検知する非接触の検知手段を備えたことを特徴とする。
【００１５】
ここで操作ボタンとは、上方より押下操作可能に下方から反転バネを弾性対向させて配置し、この操作ボタンが反転バネに抗して押下されたときにスイッチング操作して押下信号を検知する。
【００１６】
前記ベースとは、各部品を搭載する平板状の基板で構成することができる。
【００１７】
前記押下検知スイッチとは、操作ボタンに対応して接点部間が開閉操作される反転バネスイッチで構成することができる。
【００１８】
この場合は、回転体の回転情報を非接触に検知する非接触の検知機能に加えて、該回転体自体の押下検知機能と、両操作ボタンの押下検知機能とを組合せた多機能の入力部に対応する検知構成を確立することができる。
【００１９】
したがって、例えば表示項目の確定や実行するときのオンオフ操作などの入力種類に適した多様な入力操作ができる複合化入力利用を図った場合にも、回転情報に際しては非接触に検知できるため、検知性能の向上および寿命延長が図れる。
【００２０】
さらに、左右の操作ボタンを備えた場合に、これらのボタンの真下に上下方向の押下ストロークを得るための内部空間を必要とするが、この内部空間に相当する回転体の一端部の小径軸上に永久磁石を効率よく周設して組込むことができる。したがって、永久磁石を組込んでも入力装置は大型化することはない。
【００２１】
この発明の他の実施の形態として、回転体の外周面周方向に極性の異なる永久磁石を交互に周設して構成したことを特徴とする。
【００２２】
この場合は、回転体の外周面周方向に配設された永久磁石のＮ極とＳ極との極性の変化を検知手段が非接触に検知し、これを電気信号に変換するだけで回転体の回転方向と回転量との回転情報を正確に求めることができる。
【００２３】
また、永久磁石の配設位置を回転体の外周面周方向に備えることにより、磁界の発生領域が広くなり、検知手段は永久磁石が発する磁力を強くとることができる。
【００２４】
この発明の他の実施の形態として、回転体の端面環状方向に極性の異なる永久磁石を交互に備えて構成したことを特徴とする。
【００２５】
この場合は、永久磁石のＮ極とＳ極を、軸体の一端面に備えることができるため、永久磁石を回転体の軸長さ方向に対してコンパクトに効率よく設けることができ、回転体の軸方向を短縮して小型化を図ることができる。
【００２６】
この発明の他の実施の形態として、回転体の軸方向を装置本体の上面左右方向に横架し、該回転体の下面側に対向する押下検知スイッチを、前記回転体の軸方向中心線上の位置より手前側に設定して配設した入力装置であることを特徴とする。
【００２７】
この場合は、利用者が指先で回転体を回転操作したとき、回転体の軸方向中心線上の位置より手前側から前方に向けて操作力が加わることがあり、この場合に回転操作と同時に前方に対して斜め下向きの押下力が混合して加わり、回転操作であるにも拘らず、力が入り過ぎて回転体が押下操作されてしまったときにも、その押下対応する前方の斜め下方には押下検知スイッチがないため誤操作は解消される。
【００２８】
例えば、携帯電話機を片手で握ったとき、その握った方の親指の腹で回転体を前方に回転操作したとき、その押下対応する前方の斜め下方には押下検知スイッチはなく、軸方向中心線上の位置より手前側に押下検知スイッチが配設してあることから、回転操作時に誤った押下力がかからず、回転操作時には回転操作力だけを検知して誤押下操作は解消される。
【００２９】
このような入力装置を、例えば携帯電話機などの電子機器に備えた場合は、指先で細かく入力操作するのに適した信頼性の高い小型の入力装置として能率よく使用できる。
【００３０】
【発明の実施の形態】
この発明の一実施の形態を以下図面に基づいて説明する。
図面は携帯電話機に備えられる入力装置を示し、先ず、図１は携帯電話機１１を示し、この携帯電話機１１はケース本体１２の上面に、上側から表示器１３と入力装置１４と入力キー１５…とを順に配設し、ケース本体１２の上端あるいは背面側にはアンテナ（図面省略）を付設して一体的に構成している。
【００３１】
上述の入力装置１４は、ケース本体１２の上面から入力されたときの回転操作を検知するスイッチ機能と、その回転位置での押下操作を検知するスイッチ機能と、左右位置での独立した押下操作を検知する両スイッチ機能との合計４種類のスイッチ機能を有する複合的な入力機能を有して携帯電話機１１に組込まれる。
【００３２】
この入力装置１４は、図２および図３に示すように、上方より左操作ボタン１６と、右操作ボタン１７と、操作ダイヤルユニット１８と、フレキシブル基板１９とを、この順に重ねてベース２０上に一体的に搭載している。
【００３３】
上述のベース２０は横長の長方板形状を有し、図４にも示すように、その上面長手方向の両側対向位置には、操作ダイヤルユニット１８を回動自由に軸支するための第１軸支孔２１ａを開口した左右一対の第１起立片２１と、同操作ダイヤルユニット１８の上下動領域をガイドする縦長の長孔を第２軸支孔２２ａとして開口した左右一対の第２起立片２２とをそれぞれ立上らせて設けている。
【００３４】
また、ベース２０の上面短手方向の左側の前後対向位置には、左操作ボタン１６を軸支するための第３軸支孔２３ａを開口した第３起立片２３を立上らせて設け、同じくベース２０の上面短手方向の右側の前後対向位置には右操作ボタン１７を軸支するための第４軸支孔２４ａを開口した第４起立片２４をそれぞれ立上らせて設けている。
【００３５】
これらの第１〜第４起立片２１〜２４は軸支機能だけでなく、略直角に起立した起立片内面がフレキシブル基板１９のベース形状に対応して設けられる外縁部周囲を位置決め係止する役目を有しており、各起立片２１〜２４で囲まれるベース２０上にフレキシブル基板１９の前後左右の縁部が位置決めされて定位置に搭載される。
【００３６】
上述のフレキシブル基板１９は、ベース形状と対応する前端部の中央位置に第１押下検知スイッチＳＷ１を有し、その左側に第２押下検知スイッチＳＷ２を、右側に第３押下検知スイッチＳＷ３を有し、さらに右側の中央位置には後述する永久磁石と対応する回転情報検知用のホールＩＣ２５を搭載している。
【００３７】
上述の第１〜第３押下検知スイッチＳＷ１〜ＳＷ３は、円形フィルム２６上に円形反転バネ２７を重合せて一体化構成し、通常は円形反転バネ２７の中央部が中高に反転突出した状態にあり、この中央部上面に後述する押子が対設され、円形反転バネ２７が押下操作力を受けたとき、下向きに反転して押下検知スイッチをオンして検知信号を出力する。
【００３８】
図５は操作ダイヤルユニット１８がフレキシブル基板１９を介してベース２０上に取付けられた状態を示し、この操作ダイヤルユニット１８は横長の操作ダイヤル２８を同横長の枠体２９上に回動自由に軸支した状態で搭載している。この枠体２９の左右両端部には第１支軸２９ａと第２支軸２９ｂを突設しており、左右両側に突設した第１支軸２９ａと第２支軸２９ｂが、前記ベース２０の両側に起立した両起立片２１，２２の第１軸支孔２１ａと第２軸支孔２２ａに回動自由に軸支させ、また枠体２９の下面中央部に垂設した中央押子３０をベース２０上の第１押下検知スイッチＳＷ１に押下対応させて設けている。
【００３９】
この操作ダイヤルユニット１８の取付け後に、左右の操作ボタン１６，１７を取付けるものであり、これらの操作ボタン１６，１７は操作ダイヤル２８の両側上面を覆う如く山形の半円形状を有して搭載される。左操作ボタン１６は、前後面に突出する前後一対の第３支軸３１が、ベース２０の左側前後対向位置に起立した第３起立片２３の第３軸支孔２３ａにそれぞれ回動自由に軸支され、右操作ボタン１７は前後面に突出する前後一対の第４支軸３２が、ベース２０の右側前後対向位置に起立した第４起立片２４の第４軸支孔２４ａにそれぞれ回動自由に軸支される。
【００４０】
また、左操作ボタン１６の下面左側に垂設した左押子３３が、フレキシブル基板１９上の第２押下検知スイッチＳＷ２に押下対応して設けられ、さらに右操作ボタン１７の下面右側に垂設した右押子３４がフレキシブル基板１９上の第３押下検知スイッチＳＷ３に押下対応して設けられる（図２参照）。
【００４１】
次に、第１〜第３押下検知スイッチＳＷ１〜ＳＷ３の検知構成について詳しく説明する。
【００４２】
先ず、第１押下検知スイッチＳＷ１と対応する操作ダイヤル２８が利用者の押下操作力を受けたとき、第１支軸２９ａを回動支点に枠体２９とともに下向きに回動して下面の中央押子３０が、その下方の第１押下検知スイッチＳＷ１を押下してスイッチング操作する。
【００４３】
この場合、第１押下検知スイッチＳＷ１の配設位置を、図６に示すように、操作ダイヤル２８の軸方向中心線上の位置より若干手前側に設定して配設している。
【００４４】
これにより、操作ダイヤル２８の上面を利用者が指先Ｆで回転操作したときに、該操作ダイヤル２８の軸方向中心線上の位置より手前側から前方の斜め下方に向けて押す方向に操作力が加わっても、その前方の斜め下方には第１押下検知スイッチＳＷ１はなく、軸方向中心線上の位置より手前側に第１押下検知スイッチＳＷ１が配設してあることから、回転操作時に誤って押下力が前方の斜め下方に加わっても該スイッチＳＷ１には加わらず、回転操作時には回転操作力だけを検知して誤押下操作を解消した信頼性の高い検知信号が得られる。
【００４５】
この誤押下操作の回避機能は、特に携帯電話機１１を片手で握って、その握った方の親指で操作ダイヤル２８を前方に回転操作したときに親指の指先が屈曲状態から伸張する方向に勢いよく動いて、強い押下力が加わり易い傾向にあることから操作ダイヤル２８を介しての誤押下操作を回避するには顕著な効果が得られる。
【００４６】
また、第２押下検知スイッチＳＷ２と対応する左操作ボタン１６が利用者の押下操作力を受けて上側から押下操作されたとき、該ボタン１６の第２支軸３１を回動支点に下向きに回動（左回転）して下面の左押子３３が、その下方に対応する第２押下検知スイッチＳＷ２を押下してスイッチング操作する。
【００４７】
同様に、第３押下検知スイッチＳＷ３と対応する右操作ボタン１７が利用者の押下操作力を受けて上側から押下操作されたとき、該ボタン１７の第３支軸３２を回動支点に下向きに回動（右回転）して下面の右押子３４が、その下方に対応する第３押下検知スイッチＳＷ３を押下してスイッチング操作する。
【００４８】
これらの第１〜第３押下検知スイッチＳＷ１〜ＳＷ３に対するスイッチング操作時は、円形反転バネ２７を下向きに反転させたときの感触によって押下時の操作感触が得られる。指先を離した押下操作後は、押下力が解除されて円形反転バネ２７の上向きに反転する反転作用により、各押下検知スイッチＳＷ１〜ＳＷ３は押上げられて、元の上動位置に復帰する。
【００４９】
次に、操作ダイヤル２８の回転検知構造について説明する。
図７は操作ダイヤルユニット１８を分解して示し、この操作ダイヤルユニット１８は操作ダイヤル２８と、感触バネ３５と、永久磁石３６と、枠体２９とが一体化されている。
【００５０】
上述の操作ダイヤル２８は、長軸の中央部外周面に、指先が触れて正逆いずれかの回転操作力が加わったときに十分な接触抵抗を持たせて滑らないための回転操作に適した小さな凹凸を有する操作面３７を設け、この操作面３７より左側の小径軸部の端面には比較的大きな凹凸の操作感触用の放射状溝３８を形成し、後述する感触バネ３５に接触対応する。また、操作面３７より右側の小径軸部には筒状の永久磁石３６を一体に嵌合固定して同軸上に取付けている。
【００５１】
この場合、永久磁石３６は細部への組込みに適したボンド磁石などを用い、図８（Ａ）に示すように、筒体の外周面周方向にＮ極とＳ極との極性の異なる永久磁石を交互に等分（例えば６等分、好ましくは１２等分）して有している。このとき、永久磁石３６の外周面周方向の異極性間に磁界μが発生し、この磁界μの強弱変化や発生数を下方に近設するホールＩＣ２５で検知する。
【００５２】
ホールＩＣ２５は、永久磁石３６の略真下に対向する下方のフレキシブル基板１９の上面に位置をずらして２個搭載する。これにより、永久磁石３６が発する磁界μの強弱変化や発生数に対応する電気信号のズレを検知して、永久磁石３６の回転方向および回転量を検知している。
【００５３】
このように、操作ダイヤル２８が回転操作されたとき、これと一体に回転する永久磁石３６の磁界μの強弱変化や発生数をホールＩＣ２５が非接触に検知し、これを電気信号に変換するだけで操作ダイヤル２８の回転方向と回転量との回転情報を正確に求めることができる。
【００５４】
また、永久磁石３６の極性部分の配置形状は、製作に適した任意の形状に設けることができる。例えば、図８（Ｂ）に示すように、左右一対の円形くし歯体３６ａ，３６ｂを互いに突き合せて一体に組合せることもできる。
【００５５】
この操作ダイヤル２８の左右両端面には小径軸２８ａ，２８ｂを突出しており、これらの小径軸２８ａ，２８ｂが後述する枠体２９に略水平に軸支される。
【００５６】
上述の枠体２９は、コ形状の左枠体３９と右枠体４０を両側から突き合せて一体に設け、左枠体３９の左端部に貫設した軸支孔３９ａに、操作ダイヤル２８の左側に突出する小径軸２８ａを挿通して軸支している。また、右枠体４０の右端部に貫設した軸支孔４０ａに、操作ダイヤル２８の右側に突出する小径軸２８ｂを挿通して軸支している。
【００５７】
このとき、左枠体３９の左端部内面と操作ダイヤル２８の放射状溝３８との軸方向の対向面間には、操作ダイヤル２８の回転感触用の抵抗を与えるための感触バネ３５を介在させている。
【００５８】
上述の感触バネ３５は、板バネを逆Ｖ字形に設け、そのＶ字面間に弾性を持たせた状態で軸方向に介在させるものであって、この感触バネ３５の中央部に突出させた感触突片３５ａに操作ダイヤル２８の放射状溝３８が接触対向し、該操作ダイヤル２８が正逆方向のいずれかに回転したとき、放射状溝３８の凹凸面が感触突片３５ａに間欠的に接触対応して、回転方向の操作感触が得られる。また、右枠体４０の中央側下面に中央押子３０を垂設している。
【００５９】
このようにして、操作ダイヤル２８は枠体２９に軸支されて正逆転自由に設けられる（図３および図４参照）。
【００６０】
ところで、左右の操作ボタン１６，１７を備えた場合に、これらのボタン１６，１７の真下に上下方向の押下ストロークを得るための内部空間を必要とするが、この内部空間に相当する操作ダイヤルの一端部の小径軸上に永久磁石３６を効率よく周設して組込むことができるため、永久磁石３６を組込んでも入力装置１４は大型化することはない。
【００６１】
このように構成された入力装置１４が利用者に入力操作されたとき、例えば表示器１３の表示画像を上下方向にスクロールするために利用者が操作ダイヤル２８の上面を指先で軽く接した状態で回すと、これに連動して同軸上の永久磁石３６が同方向に回転し、このときの永久磁石３６のＮ極とＳ極との異極性間に交互に表れる磁界μの強弱変化や発生数を下方に対応するホールＩＣ２５で検知して電気信号に変換することにより、回転操作された操作ダイヤル２８の正逆いずれかの回転方向と回転量を図示しない中央処理装置に伝送して、表示画像を回転操作された上方向または下方向にスクロール制御する。
【００６２】
これにより、表示器１３に、例えば表示メニュ、発着信履歴リスト、電話帳リストなどの表示項目あるいはゲーム画像などがスクロール表示される。また、スクロール操作以外に表示画面上のカーソルを移動表示させることもできる。
【００６３】
また、操作ダイヤル２８は、通常、回転操作以外に押下可能な押下待機状態にあり、操作ダイヤル２８を下方に押すと、操作ダイヤル２８は下方に押し下げられて下動し、これに伴い中央押子３０が下方に押下対応する第１押下検知スイッチＳＷ１を押下してスイッチング動作する。これにより、表示器１３に表示されている表示項目の選択や確定を実行することができる。
【００６４】
さらに、左操作ボタン１６が押下操作された場合は、該左操作ボタン１６が下動して第２押下検知スイッチＳＷ２をスイッチング操作し、左側の入力信号が検知される。同様に、右操作ボタン１７が押下操作された場合は、該右操作ボタン１７が下動して第３押下検知スイッチＳＷ３をスイッチング操作し、右側の入力信号が検知される。
【００６５】
このように、操作ダイヤル２８の回転情報を非接触に検知できるため、物理的に回転接触して検知信号を取得するという機械的な接触部分が無くなることから検知性能の向上、信頼性の向上および寿命延長が図れる。また、この非接触検知機能に加えて、該操作ダイヤル２８自体の押下検知機能と、両操作ボタン１６，１７の押下検知機能とを組合せて多機能の検知構成の入力部を構築することができる。
【００６６】
図９および図１０はこの発明の他の実施の形態の操作ダイヤル９１を示し、この操作ダイヤル９１は該操作ダイヤル９１の軸部９２の右側に嵌合可能な筒体９３の永久磁石９４を設けたものである。この操作ダイヤル９１は、永久磁石９４以外の部分は上述の操作ダイヤル２８と同一であるため、その同一の説明は省略し、異なる点についてのみ説明する。
【００６７】
この永久磁石９４は、筒体の端面環状方向にＮ極とＳ極とを交互に等分配設して、端面上での異極性間の磁界μの強弱変化や発生数をホールＩＣにより検知するものである。
【００６８】
この場合は、永久磁石９４のＮ極とＳ極を操作ダイヤル９１の軸端面に備えることができるため、この永久磁石９４の軸長さ方向が短くても極性の検出には支障はなく、永久磁石９４をコンパクトに効率よく設けることができる。この結果、操作ダイヤル９１の軸方向を短縮して小型化を図ることができる。
【００６９】
また、上述の入力装置１４ではベース２０上にフレキシブル基板１９を搭載して配線接続するものを示したが、これに限らず、図１１および図１２に示すように、ベース１１１の上面に第１〜第３押下検知スイッチＳＷ１１〜ＳＷ１３を備え、ベース１１１の下面に前記第１〜第３押下検知スイッチＳＷ１１〜ＳＷ１３および図示しないホールＩＣとそれぞれ対応する各端子１１２…を備えた直付けタイプの入力装置１１３を設けることができる。
【００７０】
上述のように、操作ダイヤルの正逆の回転方向と回転量との回転情報を非接触に検知することができるため、物理的に回転接触して磨耗する部分がなくなり、またその回転接触部分への塵や埃が付着して接触性能を劣化させるような悪影響を受けなくなり、磨耗による検知性能の劣化が完全に解消されて、信頼性の高い検知性能および半永久的な寿命延長が図れる。
【００７１】
この発明の構成と、上述の実施の形態の構成との対応において、
この発明の回転体は、実施の形態の操作ダイヤル２８に対応し、
以下同様に、
検知手段は、ホールＩＣ２５に対応し、
装置本体は、ケース本体１２に対応し、
電子機器は、携帯電話機１１に対応するも、
この発明は、請求項に示される技術思想に基づいて応用することができ、上述の実施の形態の構成のみに限定されるものではない。
【００７２】
例えば、上述の実施の形態では検知手段にホールＩＣを適用したが、これに限らず、ホール素子とＩＣとの組合せでも構成することができる。
【００７３】
【発明の効果】
この発明によれば、回転体の正逆の回転方向と回転量との回転情報を永久磁石を用いて非接触に検知することができるため、物理的に回転接触して磨耗する部分がなくなり、またその回転接触部分への塵や埃が付着して接触性能を劣化させるような悪影響を受けなくなり、磨耗による劣化が解消されて信頼性の向上および寿命延長が図れる。
【図面の簡単な説明】
【図１】携帯電話機に適用した入力装置の平面図。
【図２】入力装置の組立て状態を示す外観斜視図。
【図３】入力装置を展開して示す展開斜視図。
【図４】フレキシブル基板の搭載状態を示す斜視図。
【図５】操作ダイヤルユニットの搭載状態示す斜視図。
【図６】入力装置への入力操作状態を示す側面図。
【図７】操作ダイヤルユニットを分解して示す外観斜視図。
【図８】外周面周方向での磁界の発生状態を示す永久磁石の外観斜視図。
【図９】他の実施の形態の操作ダイヤルを示す外観斜視図。
【図１０】端面環状方向での磁界の発生状態を示す永久磁石の外観斜視図。
【図１１】他の実施の形態の入力装置を斜め上方から見た外観斜視図。
【図１２】他の実施の形態の入力装置を斜め下方から見た外観斜視図。
【符号の説明】
１１…携帯電話機
１４，１１３…入力装置
１６，１７…操作ボタン
１８…操作ダイヤルユニット
２５…ホールＩＣ
２８，９１…操作ダイヤル
３６，９４…永久磁石
ＳＷ１〜ＳＷ３…押下検知スイッチ
【図１】
2004133648.tif 000003
【図２】
2004133648.tif 000004
【図３】
2004133648.tif 000005
【図４】
2004133648.tif 000006
【図５】
2004133648.tif 000007
【図６】
2004133648.tif 000008
【図７】
2004133648.tif 000009
【図８】
2004133648.tif 000010
【図９】
2004133648.tif 000011
【図１０】
2004133648.tif 000012
【図１１】
2004133648.tif 000013
【図１２】
2004133648.tif 000014